(57)【特許請求の範囲】
【請求項１】
装置本体に左下り傾斜の固定通路と右下り傾斜の固定通路とを上下方向に所定間隔をおいて配置してなる、以下の要件を備えることを特徴とする立体走行路装置。（イ）上段の固定通路の下端部近傍には、該固定通路に対して出没可能に構成され、突出固定状態にあるときに走行玩具の進行を阻止し、突出固定状態が解除された際に走行玩具の進行を許容するストッパが配置されていること
（ロ）上段の固定通路の下端部と下段の固定通路の上端部との間には、支軸が設けられ該支軸を中心に上下方向に回動可能で、上方の回動位置にあるときに上段の固定通路に連通し、かつ、下方の回動位置にあるときに下段の固定通路に連通する可動通路が設けられており、上方の回動位置にあるときに上段の固定通路からの走行玩具の進入を可能とし、かつ、下方の回動位置にあるときに下段の固定通路への走行玩具の退出を可能に構成されていること
（ハ）上記可動通路は、走行玩具が該可動通路に進入していない状態では付勢部材によって上方の回動位置を取り、走行玩具が進入した状態では該走行玩具の重みによって下方に回動して下方の回動位置を取るように構成されていること
（ニ）上記可動通路には、上段の固定通路からの走行玩具の進入によって上記ストッパを突出状態に固定して該ストッパによって後続の走行玩具の進行を阻止させるとともに、該可動通路が下方へ回動する際に上記ストッパの突出固定状態を解除する第１の駆動手段が設けられていること
（ホ）上記装置本体には、上記可動通路が下方へ回動する際に、上記第１の駆動手段に代わって、上記ストッパを突出状態に固定するとともに、下段の固定通路への走行玩具の退出後に上記可動通路が上方の回動位置に復帰した際に該ストッパの突出固定状態を解除する第２の駆動手段が設けられていること
【請求項２】
前記装置本体に、人の操作によって前記ストッパを突出した状態で固定す
る固定手段を設け、該固定手段は解除操作可能に形成されている、請求項１記載の立体走行装置。
【発明の詳細な説明】
【０００１】
【発明の属する技術分野】
本発明は、立体走行路装置、詳しくは左下り傾斜の固定通路と右下り傾斜の固定通路とを上下方向に交互に配置された走行路を折り返し走行させる立体走行路装置に関する。
【０００２】
【従来の技術】
一般的に立体式の走行路装置は、走行路がスパイラル状に形成されているものが多く提案され実用に供されている。
【０００３】
【発明が解決しようとする課題】
しかしながら、従来の走行路装置は平面視円形又は楕円形に形成されているため、設置面積が大きくなり、収容時には大きなスペースを必要とした。また、走行路装置を走行玩具の保管場所にしたとしても、正面からは手前側の走行玩具を見ることはできても、奥側の走行玩具を見ることはできなかった。
【０００４】
本発明は上記問題点を解消し、省スペースで走行玩具を走行させることができるとともに、ユニークな走行状態を楽しむことができ、さらに、走行玩具の収容装置としての機能を持たせることができる立体走行路装置を提供することをその課題とする。
【０００５】
【課題を解決するための手段】
前記課題を解決するため、本発明に係る立体走行路装置は、装置本体に左下り傾斜の固定通路と右下り傾斜の固定通路とを上下方向に所定間隔をおいて配置してなる、以下の要件を備えることを特徴とする。
（イ）上段の固定通路の下端部近傍には、該固定通路に対して出没可能に構成され、突出固定状態にあるときに走行玩具の進行を阻止し、突出固定状態が解除された際に走行玩具の進行を許容するストッパが配置されていること
（ロ）上段の固定通路の下端部と下段の固定通路の上端部との間には、支軸が設けられ該支軸を中心に上下方向に回動可能で、上方の回動位置にあるときに上段の固定通路に連通し、かつ、下方の回動位置にあるときに下段の固定通路に連通する可動通路が設けられており、上方の回動位置にあるときに上段の固定通路からの走行玩具の進入を可能とし、かつ、下方の回動位置にあるときに下段の固定通路への走行玩具の退出を可能に構成されていること
（ハ）上記可動通路は、走行玩具が該可動通路に進入していない状態では付勢部材によって上方の回動位置を取り、走行玩具が進入した状態では該走行玩具の重みによって下方に回動して下方の回動位置を取るように構成されていること
（二）上記可動通路には、上段の固定通路からの走行玩具の進入によって上記ストッパを突出状態に固定して該ストッパによって後続の走行玩具の進行を阻止させるとともに、該可動通路が下方へ回動する際に上記ストッパの突出固定状態を解除する第１の駆動手段が設けられていること
（ホ）上記装置本体には、上記可動通路が下方へ回動する際に、上記第１の駆動手段に代わって、上記ストッパを突出状態に固定するとともに、下段の固定通路への走行玩具の退出後に上記可動通路が上方の回動位置に復帰した際に該ストッパの突出固定状態を解除する第２の駆動手段が設けられていること
【０００６】
なお、前記装置本体に、人の操作によって前記ストッパを突出した状態で固定する固定手段を設け、該固定手段は解除操作可能に形成されていることが好ましい。
【０００７】
【発明の実施の形態】
図1は、本発明に係る立体走行路装置を示し、この立体走行路装置は装置本体Ａに左下り傾斜の固定通路１と右下り傾斜の固定通路２とが上下方向に所定間隔をおいて交互に配置されているもので、上段に位置する固定通路の先端部と下段に位置する固定通路の後端部とは、上下に回動可能な可動通路３が交互に連通することができるようになっており、最下段の連絡通路４を走行し終わった走行玩具はスロープ５で装置本体Ａの外部に誘導されるようになっている。
【０００８】
装置本体Ａは前フレームＡ１と後フレームＡ２とから構成され、内側面にはそれぞれ固定通路１、２の半分が形成されフレームＡ１、Ａ２を結合したときに固定通路１、２が形成されるようになっている（図２参照）。各フレームには開口部ａが形成され装置本体Ａ内を走行する走行玩具Ｂを外側から見ることができるようになっている。
【０００９】
固定通路１（２）の先端部近傍には切欠部１ａ（２ａ）が形成され、このき切欠部１ａ（２ａ）から走行玩具の進行を阻止するストッパ７が出没するようになっている。このストッパ７はフレームに形成された逆Ｕ字状のリブからなる軸受６に軸支された支軸８を中心に回動するシーソー部材９の先端に突出して形成された係止片で構成され、このストッパ（係止片）７が常に切欠部１ａ（２ａ）から上方に突出させるために後部９ａが重くなるように大きく形成されている。
【００１０】
この係止片７は固定手段１０により常に切欠部１ａ（２ａ）から突出した状態で固定することができるようになっている。この固定手段１０はダイヤル１１と、ダイヤル１１に固定された軸１２とで構成され、ダイヤル１１を時計方向に回すことによって、軸１２に設けられた係合突部１３が支軸８に係合し、軸受６に沿って支軸８を押し上げ、シーソー部材９全体を固定通路１（２）の裏面に押し付けて係止片７が切欠部１ａ（２ａ）から上方に突出した状態でシーソー部材９が回動できない状態に保持される。
【００１１】
この状態では固定通路１（２）上に載置された走行玩具Ｂを係止片７に当接させても走行玩具Ｂは係止片７に乗り上げてシーソー部材９を回動させることができないので、走行玩具Ｂは進行を阻止され、固定通路１（２）上に停止させられた状態にすることができる。
【００１２】
そして、上段の固定通路の先端と下段の固定通路の後端とは上下に回動可能な可動通路３に交互に連通するようになっている。この可動通路３は支軸２０が両フレームに形成された長孔２１に軸支されるとともに、側面に形成された突軸２２が後フレームＡ２に形成された円弧状の長孔２３から背面側に突出し、突出した突軸２２に掛けられた付勢部材であるスプリング２４で常に上方に回動させられるように付勢されるとともに斜め上方に引き上げられて可動通路３の先端が固定通路１（２）の先端に連通し、係合片２７がフック２６に係合するようになっている。
【００１３】
この可動通路３の上面の支軸寄りには、係止突部２５が膨出して形成されこの係止突部２５に走行玩具Ｂが突き当たると、走行玩具Ｂの慣性で可動通路３全体が長孔２１に沿って下方に移動させられ、係合片２７がフック２６から外れて走行玩具Ｂの重量で可動通路３は支軸２０を中心にスプリング２４に抗して下方に回動するようになっている。
【００１４】
可動通路３の裏面には上記ストッパ７を切欠部１ａ（２ａ）から上方に突出させる第1の駆動手段３０が設けられているが、この第1の駆動手段３０は支軸３１が可動通路３の裏面に形成された軸受３２に回動可能に軸支されたシーソー部材で構成されている。この第1の駆動手段（シーソー部材）３０の前部は山形状に曲折して係合部３３が形成され、後部３０ａは上記ストッパ７の下面７ａに当接できるように後方に長く棒状に延びて形成されるとともに、重心が支軸３１よりも後部側に位置するように体積が大きく形成されているので、常に係合部３３が可動通路３に形成された開口部３５から上方に突出するようになっている。
【００１５】
可動通路３上に走行玩具Ｂが進入し、走行玩具Ｂの底部でシーソー部材３０の係合部３３が押し下げられるとシーソー部材３０は支軸３１を中心に回動し、後部３０ａがストッパ７の下面７ａに当接してストッパ７を押し上げるように作用するので後続する走行玩具の進行を阻止することができるようになっている（図５（ａ）参照）。
【００１６】
さらに、装置本体にはストッパ７を切欠部から上方に突出させる第２の駆動手段４０が設けられているが、この第２の駆動手段４０は可動通路３の回動に連係し、シーソー部材９を下から押し上げてストッパ７を切欠部１ａ（２ａ）から上方に突出させるレバー部材で構成されている。この第２の駆動手段（レバー部材）４０は側面視略逆L字状に形成され、縦軸部４１は円弧状に湾曲し、可動通路３の回動時には縦軸部４１が一方の側壁２８の端面２８ａに当接するように配置されている。そして扇状に形成された横軸部４２の先端には水平方向に直交して係合板４３が突出形成され、この係合板４３はシーソー部材９の係止片７寄りの下面に係合できる長さに形成されている。
【００１７】
上記レバー部材４０は、可動通路３が回動するときには縦軸部４１が側壁２８の端面２８ａに押されて図面上で反時計方向に回動し、係合板４３がシーソー部材９を時計方向に回動させてストッパ７を切欠部１ａ（２ａ）から突出させ、後続する走行玩具の進行を阻止することができるようになっている（図５（ｂ）参照）。
【００１８】
上記構成の立体走行路装置の作動態様を図４〜図５に基づいて説明する。
【００１９】
先ず、ダイヤル１１を回してシーソー部材９を押し上げた状態で固定し、固定通路１上にフリー走行の走行玩具Ｂを載置する。走行玩具Ｂは固定通路１が前傾しているので先端に向かって進行するが、係止片７に阻止されて進行することができないので複数の走行玩具Ｂを固定通路１上に載置することができる。
【００２０】
ここで、ダイヤル１１を回してシーソー部材９の固定を解除すると、先頭の走行玩具Ｂは係止片７を押し下げながら前進することができ（図４（ｂ）参照）、後続の走行玩具Ｂ’も先頭の走行玩具Ｂに続いて前進する。
【００２１】
先頭の走行玩具Ｂが可動通路３に進入し、先ず第1の駆動手段であるシーソー部材３０の係合部３３に乗り上げ、これを押し下げるとシーソー部材３０は反時計方向に回動し、後部３０ａが係止片７の下面７ａに係合し、係止片７を押し上げるように作用するので係止片７が切欠部１ａから突出して後続する走行玩具Ｂ’の走行を阻止することになる（図５（ａ）参照）。
【００２２】
可動通路３に進入した走行玩具Ｂが更に進行すると係止突部２５に激突し、慣性で可動通路３は支軸２０が長孔２１に沿って前方に移動し、フック２６と係合片２７との係合が外れ、可動通路３は走行玩具Ｂを載せたまま支軸２０を中心に下方に回動する。第1の駆動手段３０は可動通路３とともに下がるので、係止片７の押し上げが解除されてしまうが、図４及び図５（ａ）では省略されていた第2の駆動手段４０が代わって作動し、係止片７の突出状態を維持することができる。これは縦軸部４１が可動通路３に押されてレバー部材４０が図面上で反時計方向に回動し、係合板４３でシーソー部材９を押し上げ、係止片７を切欠部１ａから突出させた状態を維持することができ、後続の走行玩具Ｂ’の進行を継続して阻止することができる（図５（ｂ）参照）。
【００２３】
可動通路３が下方に回動すると、可動通路３上の走行玩具Ｂは右下がりの固定通路２上に移動を開始する（図６（ａ）参照）。この状態では、縦軸部４１が可動通路３の側壁２８の端面２８ａに係合しているのでレバー部材４０は回動状態が持続して係合板４３でシーソー部材９を押し上げている。
【００２４】
図６（ｂ）に示すように、走行玩具Ｂが可動通路３から下段の固定通路２上に完全に移動すると、可動通路３はスプリング２４に付勢され上方に復帰回動する。この復帰回動中もレバー部材４０は回動させられているのでシーソー部材９は押し上げられた状態が継続し、係止片７は後続の走行玩具Ｂ’の進行を阻止している。
【００２５】
可動通路３が復帰回動し、可動通路３とレバー部材４０の縦軸部４１との係合が外れるとシーソー部材９は回動可能な状態になり、後続の走行玩具Ｂ’は係止片７を乗り越えることができるので、図４（ｂ）の時と同様に、可動通路３上に進行し、前走の走行玩具と同様に可動通路３に乗り移り、可動通路３を回動させて下段の固定通路に移動することができ、前走の走行玩具に続いて後続の走行玩具を次々と走行させることができる。
【００２６】
なお、図４〜図５では、最上段の固定通路１から２段目の固定通路２への移動を説明したが、２段目の固定通路２から３段目の固定通路１への移動は同様なので説明は省略する。
【００２７】
また、立体走行路装置をガレージとして利用する場合は最下段のダイヤル１１を固定方向に回動操作してストッパ７を突出させた状態にし、最上段の固定通路に走行玩具を載せ、最下段の固定通路のストッパに当接するまで走行させ、最下段の固定通路が走行玩具で埋まったら、その直上の固定通路のダイヤル１１を回動操作してストッパ７を突出した状態にし、同様に最上段の固定通路に走行玩具を載せ、順次固定通路を走行玩具で埋めていけばよい。このようにして、立体走行路装置上に多数の走行玩具を収容させることとができる。
【００２８】
一方、ガレージから走行路に切り替える場合は、最下段のダイヤル１１から順番にストッパの固定状態を解除すれば、最下段の固定通路上の走行玩具から順次装置の外に排出することができるので、全てのダイヤルを回動操作して固定状態を解除した場合は、装置上の全ての走行玩具を排出することができ、排出後は立体走行路として遊びに供することができる。
【００２９】
【発明の効果】
請求項１の発明によれば、装置全体が平板状なので走行玩具を走行させる際のスペースや収容時のスペースを小さくすることができる。また、旋回させることなく直線的に走行玩具を上から下に走行させることができるので、視覚的にも面白いユニークな走行状態を楽しむことができる。
【００３０】
請求項２の発明によれば、固定手段により走路面からストッパを突出させた状態を固定化することができ、固定走行路状に走行玩具を滞留させることができるとともに、全ての走行玩具を正面側から見ることができるので、走行玩具の収容装置としての機能を持たせることができる。
【図面の簡単な説明】
【図１】本発明に係る立体走行路装置の斜視図
【図２】前フレームを外した状態の後フレームの正面図
【図３】ストッパ、第１の駆動手段及び第２の駆動手段の関係を示す分解斜視図
【図４】（ａ）（ｂ）は可動通路の作動状態を説明する前フレームを外した状態の正面図
【図５】（ａ）（ｂ）は可動通路の作動状態を説明する前フレームを外した状態の正面図
【図６】（ａ）（ｂ）は可動通路の作動状態を説明する前フレームを外した状態の正面図図
【符号の説明】
１  固定通路
２  固定通路
３  可動通路
７  ストッパ（係止片）
２４  付勢部材（スプリング）
３０  第１の駆動手段
４０  第２の駆動手段
Ａ  装置本体
Ｂ  走行玩具
【図１】
0003876151.tif 000002
【図２】
0003876151.tif 000003
【図３】
0003876151.tif 000004
【図４】
0003876151.tif 000005
【図５】
0003876151.tif 000006
【図６】
0003876151.tif 000007